(57)【特許請求の範囲】
【請求項１】
洗濯物を収容する収容槽と、前記収容槽に設けられ、生成された泡を前記収容槽内に供給する泡生成部と、前記収容槽に設けられ、前記収容槽内の洗濯液を前記収容槽内に循環する循環水路と、前記収容槽内の洗剤液を前記泡生成部と前記循環水路に供給する循環ポンプと、を備え、前記収容槽の一部を構成する環状の外環壁に前記収容槽の軸方向に環状のホルダーを設けて前記外環壁と前記ホルダーの間に空間を形成するとともに、前記ホルダーを環状のカバー体により前記収容槽の軸方向に覆って前記ホルダーと前記カバー体との間に空間を形成し、前記外環壁と前記ホルダーとの間の前記空間および前記ホルダーと前記カバー体との間の前記空間に、前記泡生成部への給水路と前記循環水路とを前記収容槽の軸方向に重ね合わせて形成したことを特徴とする洗濯機。
【請求項２】
前記泡生成部から前記収容槽に供給される泡と、前記循環水路から前記収容槽に供給される洗濯液とが衝突しない位置に前記泡生成部の泡流出部と前記循環水路の吐出口を形成したことを特徴とする請求項１に記載の洗濯機。
【発明の詳細な説明】
【技術分野】
【０００１】
本発明は、洗濯工程、すすぎ工程、および脱水工程を行う洗濯機に関するものである。
【背景技術】
【０００２】
従来、水槽内の洗濯水を循環ポンプで循環させ、洗濯水を複数のノズルから回転ドラム内の洗濯物に満遍なく供給する機能を備えた洗濯機が知られている（例えば、特許文献１参照）。
【０００３】
これにより、洗い工程において洗剤をなるべく早く溶解し、衣類に浸透させることができ、効率よく衣類の汚れを取り除くことができる。
【０００４】
また、水槽に溜めた洗濯水をポンプで循環させ、導水路中で空気を導入して泡を生成する洗濯機が開示されている（例えば、特許文献２参照）。
【０００５】
これにより、溶解した洗濯水を泡状にして洗濯物の上に散布し、洗剤の体積の増大とともに高濃度の洗剤成分（主に界面活性剤）を洗濯物の隅々まで行き渡らせることができ、効率よく衣類の汚れを取り除くことができる。
【先行技術文献】
【特許文献】
【０００６】
【特許文献１】特開２０１１−２５０９２１号公報
【特許文献２】特開２０１５−４３７９８号公報
【発明の概要】
【発明が解決しようとする課題】
【０００７】
特許文献１に記載された洗濯水を洗濯物に供給する機能と、特許文献２に記載された泡を洗濯物に供給する機能を併せ持った洗濯機が要望されていた。
【０００８】
本発明は、前記従来の課題を解決するもので、簡単な構成で、泡と洗剤液を収容槽内の洗濯物に供給して効率的な洗濯物の洗浄を行う洗濯機を提供することを目的とする。
【課題を解決するための手段】
【０００９】
上記目的を達成するために本発明に係るドラム式洗濯機は、洗濯物を収容する収容槽と、前記収容槽に設けられ、生成された泡を前記収容槽内に供給する泡生成部と、前記収容槽に設けられ、前記収容槽内の洗濯液を前記収容槽内に循環する循環水路と、前記収容槽内の洗剤液を前記泡生成部と前記循環水路に供給する循環ポンプと、を備え、前記収容槽の一部を構成する環状の外環壁に前記収容槽の軸方向に環状のホルダーを設けて前記外環壁と前記ホルダーの間に空間を形成するとともに、前記ホルダーを環状のカバー体により前記収容槽の軸方向に覆って前記ホルダーと前記カバー体との間に空間を形成し、前記外環壁と前記ホルダーとの間の前記空間および前記ホルダーと前記カバー体との間の前記空間に、前記泡生成部への給水路と前記循環水路とを前記収容槽の軸方向に重ね合わせて形成したものである。
【発明の効果】
【００１０】
本発明にかかる洗濯機は、簡単な構成で、泡と洗剤液を収容槽内に供給して効率的な洗濯物の洗浄を行うことができる。
【図面の簡単な説明】
【００１１】
【図１】本発明の実施の形態１における洗濯機の概略的なブロック図
【図２】同洗濯機の概略的な斜視図
【図３】同洗濯機の概略的な断面図
【図４】同洗濯機の概略的な斜視図
【図５】同洗濯機の概略的な平面図
【図６】同洗濯機の概略的な断面図
【図７】同洗濯機の概略的な平面図
【図８】同洗濯機の泡生成部の概略的な透過図
【図９】同洗濯機の循環ポンプのケーシングの概略図
【発明を実施するための形態】
【００１２】
第１の発明は、洗濯物を収容する収容槽と、前記収容槽に設けられ、生成された泡を前記収容槽内に供給する泡生成部と、前記収容槽に設けられ、前記収容槽内の洗濯液を前記収容槽内に循環する循環水路と、前記収容槽内の洗剤液を前記泡生成部と前記循環水路に供給する循環ポンプと、を備え、前記収容槽の一部を構成する環状の外環壁に前記収容槽の軸方向に環状のホルダーを設けて前記外環壁と前記ホルダーの間に空間を形成するとともに、前記ホルダーを環状のカバー体により前記収容槽の軸方向に覆って前記ホルダーと前記カバー体との間に空間を形成し、前記外環壁と前記ホルダーとの間の前記空間および前記ホルダーと前記カバー体との間の前記空間に、前記泡生成部への給水路と前記循環水路とを前記収容槽の軸方向に重ね合わせて形成したことにより、洗濯物の投入口の開口面積を損ねることなく、洗浄力の高い洗濯機を実現することが可能になる。
【００１４】
第２の発明は、第１の発明において、前記泡生成部から前記収容槽に供給される泡と、前記循環水路から前記収容槽に供給される洗濯液とが衝突しない位置に前記泡生成部の泡流出部と前記循環水路の吐出口を形成したものである。
【００１５】
以下、図面を参照しつつ、例示的な洗濯機が説明される。尚、以下の説明で用いられる「上」、「下」、「左」や「右」などの方向を表す用語は、単に、説明の明瞭化を目的とする。したがって、これらの用語は、洗濯機の原理を何ら限定するものではない。以下に開示される洗濯機は、乾燥機能を有さない洗濯機を例示するが、洗濯物を乾燥する乾燥機能を有する洗濯物処理装置であってもよい。
【００１６】
（第１実施形態）
（洗濯機）
図１は、第１実施形態の洗濯機１００の概略的なブロック図である。図１を参照して、洗濯機１００が説明される。尚、図１に示される実線矢印は、水の流れを表す。図１に示される鎖線矢印は、制御信号の伝達経路を表す。
【００１７】
洗濯機１００は、主筐体２００と、制御部３００と、給水機構４００と、洗濯機構５００と、循環機構６００と、を備える。主筐体２００は、制御部３００と、給水機構４００と、洗濯機構５００と、循環機構６００と、を収容する。制御部３００は、給水機構４００と、洗濯機構５００と、循環機構６００と、を制御する。
【００１８】
洗濯機１００は、洗濯物を洗う洗い工程と、洗濯物を濯ぐ濯ぎ工程と、洗濯物を脱水する脱水工程と、を順次実行してもよい。
【００１９】
洗濯機構５００は、洗濯物が収容される収容槽５１０と、収容槽５１０を駆動するモータ５２０と、を備える。モータ５２０は、制御部３００の制御下で、収容槽５１０を駆動する。洗い工程において、収容槽５１０は、洗剤を含む液体中で、洗濯物を攪拌する。この結果、洗濯物は、適切に洗浄される。濯ぎ工程において、収容槽５１０は、洗い工程よりも低い洗剤濃度を有する水中で洗濯物を攪拌する。また、濯ぎ工程において、収容槽５１０への給水及び収容槽５１０からの排水が繰り返される。この結果、洗剤は、洗濯物か
ら適切に取り除かれる。脱水工程において、収容槽５１０は、遠心力を利用して、洗濯物から脱水する。この結果、洗濯物の乾燥が促進される。
【００２０】
給水機構４００は、上述の洗い工程及び濯ぎ工程において、収容槽５１０に水を供給する。給水機構４００は、蛇口に接続される給水口４１０と、切替弁４２０と、洗剤が収容される洗剤収容部４３０と、を備える。給水口４１０に供給された水は、切替弁４２０に至る。切替弁４２０は、収容槽５１０に水が直接的に向かう第１給水経路４２１と、洗剤収容部４３０を通じて収容槽５１０に水が供給される第２給水経路４２２と、の間で、給水経路を切り替える。第１給水経路４２１は、例えば、濯ぎ工程において用いられてもよい。この結果、水道水が収容槽５１０に直接的に供給される。第２給水経路４２２は、例えば、洗い工程に用いられてもよい。切替弁４２０が第２給水経路４２２を開くと、水は、洗剤収容部４３０に流入する。洗剤収容部４３０内において、水及び洗剤が混合される。この結果、洗剤を含有する水が、収容槽５１０に流入する。本実施形態において、第２給水経路４２２を規定する管路は、給水管として例示される。給水機構４００は、給水部として例示される。
【００２１】
循環機構６００は、循環ポンプ６１０と、泡生成部６２０と、を備える。循環機構６００は、上述の洗い工程及び濯ぎ工程において、循環ポンプ６１０と収容槽５１０との間で水を循環させてもよい。本実施形態において、循環機構６００は、循環ポンプ６１０と収容槽５１０との間での水の循環のために、第１循環経路６１１と第２循環経路６１２とを備える。第１循環経路６１１が用いられるとき、水は、泡生成部６２０を通じて、収容槽５１０に流入する。第２循環経路６１２が用いられるとき、水は、循環ポンプ６１０から収容槽５１０へ直接的に送られる。水の循環経路の切替のために、切替弁や、水の流れ方向を選択的に規定することができる他の要素が用いられてもよいが、本発明においては簡単な構成でかつ第一循環経路６１１と第二循環経路６１２に同時に給水され短時間に効率的に泡と洗剤液を供給して高い洗浄力を得ることを目的としている。また、単一のポンプ６１０によって、水は、泡生成部６２０及び収容槽５１０に送られるので、主筐体２００内のスペースは有効に利用され、且つ、洗濯機１００は、廉価に製造され得る。加えて、単一のポンプ６１０の使用は、主筐体２００内のレイアウト設計の自由度の増大に帰結する。
【００２２】
泡生成部６２０は、泡を生成する。気泡により体積を増した洗剤液は、収容槽５１０に送られ、洗濯物の上に行き渡る。洗剤液が洗濯物に接触し、浸透すると、気泡は泡膜となり洗濯物を覆う。泡膜は、高濃度の界面活性剤を含むので、洗濯物の汚れを効率的に除去することができる。また、同時に第二循環経路６１２より洗剤液を収容槽５１０に吐出することにより洗濯物の濡れ性を向上させ、ムラなく洗濯物に洗剤液をかけることにより、高濃度の泡の浸透力を増すと共に高洗浄力が短時間で得られる。
【００２３】
図２は、洗濯機１００の概略的な斜視図である。図１及び図２を参照して、洗濯機１００が更に説明される。
【００２４】
主筐体２００は、前壁２１０と、前壁２１０とは反対側の後壁２２０と、前壁２１０と後壁２２０との間で立設された左壁２３０と、左壁２３０とは反対側の右壁２４０と、前壁２１０、後壁２２０、左壁２３０及び右壁２４０の上縁に囲まれた天壁２５０と、天壁２５０とは反対側の底壁２６０と、を含む。図１を参照して説明された給水口４１０は、天壁２５０上で露出している。使用者は、例えば、ホースを用いて、給水口４１０と蛇口（図示せず）とを接続することができる。
【００２５】
洗濯機１００は、前壁２１０に取り付けられた扉体１０１を備える。扉体１０１は、前壁２１０に沿う閉位置と、前壁２１０から突出した開位置と、の間で回動する。尚、図２
に示される扉体１０１は、開位置に存する。扉体１０１が開位置に存するとき、収容槽５１０が規定する投入口５１１が露出する。使用者は、扉体１０１を開位置へ回動し、投入口５１１を通じて、洗濯物を収容槽５１０に投入することができる。
【００２６】
図３は、洗濯機１００の概略的な断面図である。図１及び図３を参照して、洗濯機１００が更に説明される。
【００２７】
収容槽５１０は、洗濯物が収容される回転ドラム５３０と、回転ドラム５３０が収容される水槽５４０と、を含む。回転ドラム５３０は、投入口５１１を規定する内環壁５３１と、内環壁５３１とは反対側の内底壁５３２と、内環壁５３１と内底壁５３２との間の円筒状の内周壁５３３と、を含む。水槽５４０は、前壁２１０と内環壁５３１との間に配置される外環壁５４１と、後壁２２０と内底壁５３２との間に配置される外底壁５４２と、外環壁５４１と外底壁５４２との間で内周壁５３３を取り囲む外周壁５４３と、を含む。本実施形態において、回転ドラム５３０は、内槽として例示される。水槽５４０は、外槽として例示される。
【００２８】
モータ５２０は、駆動力を発生させる本体部５２１と、駆動力を回転ドラム５３０へ伝達する駆動シャフト５２２と、本体部５２１の回転を駆動シャフト５２２に伝達するベルト５２３及びプーリー５２４と、を含む。駆動シャフト５２２は、外底壁５４２を貫通し、内底壁５３２に接続される。
【００２９】
循環機構６００は、循環ポンプ６１０と泡生成部６２０（図１を参照）とに加えて、排水弁６９０と、水槽５４０から循環ポンプ６１０へ流れる水の経路を規定する上流循環管６４０と、循環ポンプ６１０から水槽５４０へ戻る水の経路を規定する下流循環管６５０と、主筐体２００外への排水経路を規定する排水管６６０と、を備える。排水弁６９０は、排水管６６０に取り付けられる。制御部３００（図１を参照）は、排水弁６９０を制御する。収容槽５１０と循環ポンプ６１０との間で水が循環されている間、制御部３００は、排水弁６９０を閉じる。制御部３００は、不要となった水を排出するために排水弁６９０を開く。
【００３０】
下流循環管６５０は、泡生成部６２０へ接続される第１枝管６５１と、外環壁５４１に接続される第２枝管６５２と、を含む。第１枝管６５１は、図１を参照して説明された第１循環経路６１１を規定する。第２枝管６５２は、図１を参照して説明された第２循環経路６１２を規定する。制御部３００は、循環ポンプ６１０の回転方向および回転数を制御し、第１枝管６５１を通じた水の循環と、第２枝管６５２を通じた水の循環と、を選択的に実行してもよい。本実施形態において、下流循環管６５０は、循環ポンプ６１０を介して分岐管として例示される。
【００３１】
図４は、水槽５４０の概略的な斜視図である。図１、図３および図４を参照して、洗濯機１００が更に説明される。
【００３２】
水槽５４０の外周壁５４３は、外環壁５４１が取り付けられる前周壁５４５と、外底壁５４２と前周壁５４５との間に配置される後周壁５４６と、を含む。泡生成部６２０は、前周壁５４５に配設される。図３には、モータ５２０によって規定される回転ドラム５３０の回転軸ＲＸが示されている。
【００３３】
本実施形態において、泡生成部６２０は、回転軸ＲＸよりも上方に配置され、高濃度の泡を吐出する泡流出口６８４も回転軸ＲＸよりも上部に配置される。泡と同時に吐出される洗剤液の吐出口８１１と泡流出口６８４は、高濃度の泡と洗剤液が衝突しないように配置され、吐出量を設定している。
【００３４】
本実施形態において、下流循環管６５０の第１枝管６５１は、水槽の前周壁５４５に接続され、前周壁５４５内の内部循環経路を介して泡生成部６２０に至る構造として例示される。これによって、主筐体２００内のスペースは有効に利用され、かつ洗濯機１００は廉価に製造され得る。加えて、主筐体２００内のレイアウト設計の自由度の増大に帰結する。
【００３５】
（泡生成部）
図５は、外環壁５４１を裏面側から見た平面図、図６は、外環壁５４１部分の断面図、図７は、図５からカバー体５４４を取り外した上体の平面図、図８は、泡生成部６２０の概略的な透過図である。以下に、図３〜図８を参照して、泡生成部６２０が説明される。
【００３６】
水槽５４０の外環壁５４１は、前方に向かって膨出した形状に形成され、裏面側に泡生成部６２０と、泡生成部６２０への給水路６２２と、洗濯水を収容槽５１０に供給する循環水路８１０が形成されている。泡生成部６２０と給水路６２２は、外環壁５４１裏面側から突出形成された隔壁６２１により区画され、隔壁６２１にホルダー６２３を当接させることにより、外環壁５４１裏面と隔壁６２１とホルダー６２３とに囲繞されて形成される。隔壁６２１とホルダー６２３との間の水密構造は、必要に応じて設けてもよい。
【００３７】
給水路６２２には、泡生成部６２０と対向する端部に流入口６８１を形成し、給水路６２２の他端側には、泡生成部６２０に向かって吐出口６８２が形成されており、吐出口６８２は、泡生成部６２０に向けて略水平方向に形成されている。また、吐出口６８２は、給水路６２２の断面積より小さい断面積となるよう形成し、給水路６２２を通過して泡生成部６２０に向けて噴出する洗濯水の流速が増大するよう構成している。吐出口６８２から吐出された洗濯水の吐出方向には、隔壁６２１の一部で略垂直方向に形成された対向面６２１ａが設けられている。
【００３８】
ホルダー６２３の側面には、吸気口６８３が形成され、吸気口６８３は、吐出口６８２と対向面６２１ａの略中間に位置する（図８は、ホルダー６２３を透過した平面図であり、図８には、吸気口６８３を図示している）。
【００３９】
泡生成部６２０には、吐出口６８２に対向する位置に泡流出口６８４を形成している。泡生成部６２０を構成する外壁面５４１には、泡流出口６８４に向かって傾斜して形成される傾斜面６２１ｂが設けられている。これにより、泡生成部６２０内に供給された洗濯水は、泡生成部６２０内に残留することなく、泡流出口６８４から排出される。
【００４０】
図３、図４、図５、図７および図８を参照して説明された第１枝管６５１は、水槽５４０の前周壁５４５内の内部循環経路を介して、流入口６８１に接続される。循環ポンプ６１０が泡生成部６２０へ洗剤液を揚水すると、流入口６８１から流入した洗剤液は、給水路６２２を通り、吐出口６８２から、泡生成部６２０に向かって吐出される。
【００４１】
泡生成部６２０内では、吐出口６８２から、泡生成部６２０に向かって吐出されると、洗剤液が対向面６２１ａに衝突し、泡生成部６２０の各面へと飛散され、泡生成部６２０内の空気と混ざりあって濃度の高い泡が発生する。また、吐出口６８２から洗剤液が吐出されることにより、吸気口６８３の泡生成部６２０側近傍では負圧となるため、水槽５４０内の空気が吸気口６８３から吸引され、空気を巻き込むことで洗剤液に気泡が更に混入され、より多量の高濃度の泡を発生させることが可能となる。なお、吐出口６８２から吐出される洗剤液は、流速を増大させて対向面６２１ａへ衝突するよう構成しているので、泡生成部６２０内部では、効率よく気泡を発生させることが可能となる。
【００４２】
気泡により体積を増した洗剤液は、回転ドラム５３０が回転し、洗濯物を攪拌しながら泡流出口６８４から収容槽の洗濯物に散布されるため、洗濯物に均一に散布されることとなる。泡流出口６８４の口径は、揚水量に応じて、泡生成部で気泡が混入される流速になるよう調整してもよい。流速は循環ポンプの回転数で調整してもよい。
【００４３】
本実施の形態においては、隔壁６２１を収容槽５１０の構成部品と一体成型することにより、コンパクトに構成することができ、構造を簡素化することができる。
【００４４】
なお、給水路６２２は、泡生成部６２０に洗剤液を供給できる構成であればよく、本実施の形態以外にも、例えば、ホース等により構成することができる。
【００４５】
（循環水経路）
図５、図７および図８は、泡生成部６２０への洗剤液の給水路６２２と高濃度泡の泡流出口６８４、洗剤液を収容槽５１０に供給するための循環水路８１０と吐出口８１１の配置を示す。
【００４６】
外環壁５４１の裏面側に、ホルダー６２３および循環水路８１０を覆うように環状のカバー体５４４が装着される。循環水路８１０は、外環壁５４１裏面側から突出形成された隔壁８１２により区画され、外環壁５４１の裏面および隔壁８１２にパッキン５４５、５４６を介してカバー体５４４を当接させることにより、外環壁５４１裏面と隔壁８１２とカバー体５４４とに囲繞されて形成される。
【００４７】
図７は、給水路６２２と循環水路８１０とが形成された位置における断面図であり、この位置における循環水路８１０は、外環壁５４１、隔壁６２１およびホルダー６２３にパッキン５４５、５４６、５４７、５４８を介してカバー体５４４を当接させることにより、カバー体５４４とホルダー６２３とに囲繞されて形成される。
【００４８】
高濃度泡の泡流出口６８４は、回転軸ＲＸより上部に配置され、洗濯物の上方から散布させる。また、同時に吐出される洗剤液は、第２枝管６５２を経由して循環水路８１０を通過して吐出口８１１から収容槽５１０内に吐出される。循環水路８１０と吐出口８１１は、収容槽５１０の前方に設けられている。
【００４９】
本実施の形態では、高濃度泡が吐出されているときは、吐出口８１１から吐出される洗剤水は、略回転軸ＲＸよりも下部からのみ吐出されるように制御されている。高濃度の泡と洗剤液が衝突して泡を消泡したりして泡による洗浄効果が低減するのを避けるための制御である。
【００５０】
また、洗剤液の循環水路８１０と吐出口８１１が上部まで配置されているのは、循環ポンプ６１０が洗剤液を循環させる目的で回転する回転方向Ｂの時に収容槽５１０の前方全域から循環水を吐出させるためのものである。
【００５１】
図４、図５および図７に示される如く、循環ポンプ６１０は、収容槽５１０よりも下方に配置される。泡生成部６２０は、回転ドラム５３０の回転軸ＲＸよりも上方（即ち、循環ポンプ６１０よりも上方）に配置される。循環ポンプ６１０が回転すると、水は、循環ポンプ６１０によって、第１枝管６５１を通じて、泡生成部６２０に向けて揚水される。
【００５２】
循環ポンプ６１０が高い回転数で回転すると、洗剤液は、第１枝管６５１または第２枝管６５２とに流入する。第１枝管６５１は、泡生成部６２０へ案内する。泡生成部６２０内で発生した泡は、収容槽５１０へ送り出される。
【００５３】
循環ポンプ６１０が高い回転数で回転すると、洗剤液は、第１枝管６５１または第２枝管６５２とに流入する。第１枝管６５１は、泡生成部６２０へ案内する。泡生成部６２０内で発生した泡は、収容槽５１０へ送り出される。第２枝管６５２は、水を、水槽５４０へ直接的に案内する。洗剤液の流入経路は、循環ポンプ６１０の回転方向を制御し、選択される。
【００５４】
（循環ポンプケーシング）
図９は、高濃度泡を生成させるためおよび収容槽に洗剤液を供給させるための駆動措置として用いている循環ポンプのケーシング９００の形状を示す。
インペラーの回転方向Ａは高濃度泡の生成と洗剤液を下方に供給するときの回転方向であり、回転方向Ｂは収容槽全域に洗剤液を供給するときに回転方向である。
【００５５】
回転方向Ａの高濃度泡生成時にポンプケーシング吐出口Ａ９１０と吐出口Ｂ９２０とからは、略１：１の比率で循環水を吐出させ、高濃度泡を泡生成部６２０で生成させかつ、洗剤液の吐出口８１１（*）から洗剤液を吐出させることを特徴としている。この時少なくとも吐出口の断面積は吐出口Ａ９１０（泡生成側）≦吐出口Ｂ９２０（洗剤液側）の関係とすることを特徴とする。また、ケーシングの吐出口手前にはインペラーの回転に対し水を呼び込むためのトング形状９３０を設けていることを特徴とする。
【産業上の利用可能性】
【００５６】
本実施形態の原理は、泡を利用して洗濯物を洗浄する機能を有する装置に好適に利用される。
【符号の説明】
【００５７】
１００・・・・・・・・・・・・・・・洗濯機
３００・・・・・・・・・・・・・・・制御部
４００・・・・・・・・・・・・・・・給水機構
４２２・・・・・・・・・・・・・・・第２給水経路
４３０・・・・・・・・・・・・・・・洗剤収容部
５００・・・・・・・・・・・・・・・洗濯機構
５１０・・・・・・・・・・・・・・・収容槽
５１１・・・・・・・・・・・・・・・投入口
５３０・・・・・・・・・・・・・・・回転ドラム
５４０・・・・・・・・・・・・・・・水槽
６００・・・・・・・・・・・・・・・循環機構
６１０・・・・・・・・・・・・・・・循環ポンプ
６２０・・・・・・・・・・・・・・・泡生成部
６２１・・・・・・・・・・・・・・・隔壁
６２１ａ・・・・・・・・・・・・・・対向面
６２２・・・・・・・・・・・・・・・給水路
６２３・・・・・・・・・・・・・・・ホルダー
６５０・・・・・・・・・・・・・・・下流循環管
６５１・・・・・・・・・・・・・・・第１枝管
６５２・・・・・・・・・・・・・・・第２枝管
６８１・・・・・・・・・・・・・・・流入口
６８２・・・・・・・・・・・・・・・吐出口
６８３・・・・・・・・・・・・・・・吸気口
６８４・・・・・・・・・・・・・・・泡流出口
【図１】
0006543808.tif 000002
【図２】
0006543808.tif 000003
【図３】
0006543808.tif 000004
【図４】
0006543808.tif 000005
【図５】
0006543808.tif 000006
【図６】
0006543808.tif 000007
【図７】
0006543808.tif 000008
【図８】
0006543808.tif 000009
【図９】
0006543808.tif 000010